(57)【要約】【解決手段】殺菌装置に常温の原水を供給することができるビデの流路システムが開示される。  本発明によるビデの流路システムは、原水供給部から流入された原水が複数の流路のうち少なくとも１つの流路に流れるよう流路を切り換える流路切り換えバルブと、上記流路切り換えバルブの排出側に連結され、供給された原水から抗菌及び／または殺菌物質が含まれたノズル洗浄水を生成する殺菌装置と、上記流路切り換えバルブの排出側に連結され、供給された原水を加熱する加熱部材と、上記殺菌装置及び上記加熱部材に連結され、ノズル洗浄水または温水が供給される少なくとも１つのノズルが設けられるノズル部とを含む。
2011520051.tif 000002
【特許請求の範囲】
【請求項１】
原水供給部から流入された原水が複数の流路のうち少なくとも１つの流路に流れるよう流路を切り換える流路切り換えバルブと、
前記流路切り換えバルブの排出側に連結され、供給された原水から殺菌物質が含まれたノズル洗浄水を生成する殺菌装置と、
前記流路切り換えバルブの排出側に連結され、供給された原水を加熱する加熱部材と、
前記殺菌装置及び前記加熱部材に連結され、ノズル洗浄水または温水が供給される少なくとも１つのノズルが設けられるノズル部と、
を含むビデの流路システム。
【請求項２】
前記加熱部材と前記ノズル部の間に配置され、前記加熱部材から排出される温水が前記ノズル部に設けられるノズルのうち何れか１つのノズルのみに流れるようにする分岐バルブをさらに含むことを特徴とする請求項１に記載のビデの流路システム。
【請求項３】
殺菌物質が含まれたノズル洗浄水を生成する殺菌装置と、
供給される原水を加熱する加熱部材と、
前記殺菌装置で生成されたノズル洗浄水または前記加熱部材で加熱された温水が供給される少なくとも１つのノズルが設けられるノズル部と、
前記殺菌装置及び前記加熱部材の流入側に連結され、原水供給部から流入された原水を前記殺菌装置または前記加熱部材に選択的に供給し、前記加熱部材の排出側に連結され、前記加熱部材で加熱された温水を前記ノズル部に供給するよう流路を切り換える流路切り換えバルブと、
を含むビデの流路システム。
【請求項４】
前記流路切り換えバルブは、前記原水供給部から流入された原水が前記殺菌装置に排出される際、前記加熱部材と連結された流路を遮断することを特徴とする請求項１または請求項３に記載のビデの流路システム。
【請求項５】
前記流路切り換えバルブは、前記ノズル部に温水が流れるようにする場合、前記殺菌装置と連結された流路を遮断し、前記加熱部材の流入側と排出側に連結された流路及び前記ノズル部に連結された流路を連動して開放することを特徴とする請求項３に記載のビデの流路システム。
【請求項６】
前記ノズル部は複数のノズルを備え、
前記流路切り換えバルブは前記加熱部材から流入された温水が前記複数のノズルのうち１つに選択的に排出されるよう流路を切り換えることを特徴とする請求項５に記載のビデの流路システム。
【請求項７】
前記殺菌物質は、電気分解により生成された酸化性混合物質を含むことを特徴とする請求項１または請求項３に記載のビデの流路システム。
【請求項８】
前記殺菌物質は、ヨードまたは酸化銀を含むことを特徴とする請求項１または請求項３に記載のビデの流路システム。
【発明の詳細な説明】
【技術分野】
【０００１】
本発明はビデの流路システムに関し、より詳細には、殺菌装置に常温の原水を供給することができるビデの流路システムに関する。
【背景技術】
【０００２】
一般的にビデと称される洗浄機は、便座のシートに一体で設置され、ユーザーが用便後にトイレットペーパーを使用せず、ノズルから噴射される洗浄水によりユーザーの肛門または女性の局部を洗浄するための装置である。また、上記ノズルは、ユーザーの肛門を洗浄する洗浄ノズルと、女性の局部を洗浄するビデノズルからなり、洗浄ノズル及び／またはビデノズルを洗浄するノズル洗浄水吐出部が備えられることもある。
【０００３】
また、ビデには洗浄ノズル、ビデノズル、ノズル洗浄水吐出部に洗浄水またはノズル洗浄水が選択的に流入されるよう流路を切り換える流路切り換えバルブが内部に装着される。従って、流路切り換えバルブの作動によりそれぞれのノズルに洗浄水またはノズル洗浄水が分配されて流れる。
【０００４】
図１は従来技術によるビデの流路システムを示す構成図である。
【０００５】
図１を参照すると、従来のビデの流路システム１０は入水バルブ１１、温水タンク１２、流路切り換えバルブ１３、殺菌装置１７及びノズル部１８を備える。ビデに使用される水は入水バルブ１１を通じて流入され、流入された水は温水タンク１２に保存され適した温度に加熱される。従って、ユーザーがビデを使用する際は、温水タンク１２に保存されている温水がノズル部１８に供給される。
【０００６】
また、流路切り換えバルブ１３は温水タンク１２に連結され、温水タンク１２から供給される温水をノズル部１８に設けられる洗浄ノズルやビデノズルに供給させたり、殺菌装置１７を通じてノズル洗浄水吐出部に供給させたりする。
【０００７】
例えば、ユーザーが洗浄機能を選択すると、流路切り換えバルブ１３の流路が切り換わって温水タンク１２から供給される温水が洗浄ノズル流路１５を通じて洗浄ノズルから噴射され、ユーザーがビデ機能を選択すると、流路切り換えバルブ１３の流路が切り換わって温水タンク１２から供給される温水がビデノズル流路１６を通じてビデノズルから噴射される。
【０００８】
一方、ユーザーの着座を感知するセンサーにより、ユーザーの着座を感知すると、ビデはノズル洗浄流路１４を通じてノズル洗浄水吐出部に温水を供給し、ビデノズル及び／または洗浄ノズルの洗浄が行われる。このとき、ノズル洗浄流路１４には抗菌及び／または殺菌物質を含むノズル洗浄水を生成する殺菌装置１７が備えられ、ノズル洗浄水吐出部にノズル洗浄水を供給し、これにより洗浄ノズル及び／またはビデノズルの殺菌及び洗浄が行われる。このような殺菌装置１７は、洗浄ノズルとビデノズルを強制的に洗浄するためにノズル洗浄水吐出部に供給される水が殺菌作用を有するように、電気分解を通じてノズル洗浄水を生成する役割をする。
【０００９】
例えば、上記殺菌装置１７は、抗菌及び／または殺菌物質を含むノズル洗浄水を生成するために、供給された原水をイオン化するように構成されることができる。従って、殺菌装置１７で生成されたノズル洗浄水は、ノズル洗浄水吐出部に供給され、洗浄ノズル及びビデノズルを殺菌する。
【００１０】
これと異なり、ユーザーがノズル洗浄機能を選択すると、ノズル洗浄流路１４を通じて殺菌装置１７に温水が供給され、殺菌装置１７で生成されたノズル洗浄水がノズル洗浄水吐出部に供給されて洗浄ノズル及び／またはビデノズルの洗浄が行われる。
【発明の開示】
【発明が解決しようとする課題】
【００１１】
しかし、従来ビデの流路システム１０は、流路切り換えバルブ１３が温水タンク１２とノズル部１８の間に装着されるため、ノズル部１８に備えられる洗浄ノズル、ビデノズル及びノズル洗浄水吐出部に常に温水が供給される。これにより洗浄ノズルとビデノズルが洗浄される際、温水が使用されて温水が浪費される。
【００１２】
結局、温水の供給が要らない場合にも温水を使用するため、原水を加熱するためのエネルギー損失が生じ、不要に使用される温水の量を考慮して温水タンク１２の貯留容量を設定しなければならず、温水タンク１２の貯留容量が不要に増加する。
【００１３】
その上、従来ビデの流路システム１０は、殺菌装置１７に温水が供給されるため、冷水が供給される場合より電気分解効率が低下し、効果的なノズル洗浄水の生成が行われないという問題点がある。即ち、ノズル洗浄水を生成するための原水として常温水（または冷水）ではない温水を使用することで、常温水を使用してノズル洗浄水を発生させる場合より殺菌性能が低下したノズル洗浄水を発生させる。これによりノズル洗浄性能、即ち、殺菌性能が低下するという問題点がある。
【００１４】
また、従来ビデの流路システム１０は、流路切り換えバルブ１３が温水タンク１２の後端に設けられるため、入水バルブ１１を通じて温水タンク１２に既に入水された流量を流路切り換えバルブ１３で制御する。その結果、温水タンク１２に負圧が発生するため、このような負圧に耐えられるよう温水タンク１２の強度を補強する必要があり、原価上昇の要因となる。また、温水タンク１２に生じた負圧により漏水が発生し、感電事故の要因になり得るという問題点がある。
【００１５】
本発明は、上述の従来技術の問題点のうち少なくとも一部を解決するために案出されたものであり、ビデの構成部品に適する温度の水を供給することができ、温水の使用効率を高めることができるビデの流路システムを提供することを目的とする。
【００１６】
また、本発明は、殺菌性能が向上したノズル洗浄水が生成され、これによりノズル洗浄性能が向上して不要な温水の使用を防ぐことができるビデの流路システムを提供することを目的とする。
【００１７】
また、本発明は、構成部品の数を減らしながらも複雑な流路を具現することができるビデの流路システムを提供することを目的とする。
【課題を解決するための手段】
【００１８】
上述の目的を達成するための一側面として、本発明は、原水供給部から流入された原水が複数の流路のうち少なくとも１つの流路に流れるよう流路を切り換える流路切り換えバルブと、上記流路切り換えバルブの排出側に連結され、供給された原水から抗菌及び／または殺菌物質が含まれたノズル洗浄水を生成する殺菌装置と、上記流路切り換えバルブの排出側に連結され、供給された原水を加熱する加熱部材と、上記殺菌装置及び上記加熱部材に連結され、ノズル洗浄水または温水が供給される少なくとも１つのノズルが設けられるノズル部とを含むビデの流路システムを提供する。
【００１９】
好ましくは、上記ビデの流路システムは、上記加熱部材と上記ノズル部の間に配置され、上記加熱部材から排出される温水が上記ノズル部に設けられるノズルのうち何れか１つのノズルのみに流れるようにする分岐バルブをさらに含むことができる。
【００２０】
他の側面として、本発明は、抗菌及び／または殺菌物質が含まれたノズル洗浄水を生成する殺菌装置と、供給される原水を加熱する加熱部材と、上記殺菌装置で生成されたノズル洗浄水または上記加熱部材で加熱された温水が供給される少なくとも１つのノズルが設けられるノズル部と、上記殺菌装置及び上記加熱部材の流入側に連結され、原水供給部から流入された原水を上記殺菌装置または上記加熱部材に選択的に供給し、上記加熱部材の排出側に連結され、上記加熱部材で加熱された温水を上記ノズル部に供給するよう流路を切り換える流路切り換えバルブとを含むビデの流路システムを提供する。
【００２１】
好ましくは、上記流路切り換えバルブは、上記原水供給部から流入された原水が上記殺菌装置に排出される際、上記加熱部材と連結された流路を遮断することができる。
【００２２】
また、好ましくは、上記流路切り換えバルブは、上記ノズル部に温水が流れるようにする場合、上記殺菌装置と連結された流路を遮断し、上記加熱部材の流入側と排出側に連結された流路及び上記ノズル部に連結された流路を連動して開放することができる。
【００２３】
好ましく、上記ノズル部は、複数のノズルを備え、上記流路切り換えバルブは上記加熱部材から流入された温水が上記複数のノズルのうち１つに選択的に排出されるよう流路を切り換えることができる。
【００２４】
また、上記殺菌物質は、電気分解により生成された酸化性混合物質を含むことができる。
【００２５】
また、上記殺菌物質は、ヨードまたは酸化銀を含むことができる。
【発明の効果】
【００２６】
本発明の一実施例によると、流路切り換えバルブを加熱部材の前端に配置させることで、ビデの構成部品に適する温度の水を供給することができ、温水の使用効率を高めることができるという効果がある。
【００２７】
また、本発明の一実施例によると、流路切り換えバルブが加熱部材の前端に配置されることで、殺菌装置に温水ではない常温の原水を供給することができ、殺菌性能が向上したノズル洗浄水が生成され、これによりノズル洗浄性能、即ち、殺菌効率が増大するという効果がある。
【００２８】
また、本発明の一実施例によると、殺菌装置に常温の原水が供給されるため、不要な温水の使用を防ぐことができるという効果が得られる。
【００２９】
また、本発明の一実施例によると、１つの流路切り換えバルブを通じて複数の流路を具現するため、流路の構成が簡単となり、構成部品の数が減るという効果がある。
【図面の簡単な説明】
【００３０】
【図１】従来技術によるビデの流路システムを示す構成図である。
【図２】本発明の一実施例によるビデの流路システムを示す構成図である。
【図３】本発明の他の実施例によるビデの流路システムを示す構成図である。
【図４】図３に図示された流路切り換えバルブの一実施例を示す分解斜視図である。
【図５】図４に図示された流路切り換えバルブの第２ハウジングの平面図である。
【図６】図４に図示された流路切り換えバルブの固定ディスクを図示したものであり、（ａ）は平面図、（ｂ）は底面図、（ｃ）は（ａ）のＡ−Ａ線による断面図である。
【図７】図４に図示された流路切り換えバルブの回転ディスクを図示したものであり、（ａ）は平面図、（ｂ）は底面図、（ｃ）は（ａ）のＢ−Ｂ線による断面図である。
【図８】図４に図示された流路切り換えバルブの第２ハウジングに固定ディスクが装着された状態の概路図である。
【図９】図８の固定ディスク上に回転ディスクが装着されて回転される状態を図示した概路図であり、初期状態の回転ディスクの位置である。
【図１０】図８の固定ディスク上に回転ディスクが装着されて回転される状態を図示した概路図であり、ノズル洗浄機能を行う際の回転ディスクの位置である。
【図１１】図８の固定ディスク上に回転ディスクが装着されて回転される状態を図示した概路図であり、洗浄機能の初期噴射の際の回転ディスクの位置である。
【図１２】図８の固定ディスク上に回転ディスクが装着されて回転される状態を図示した概路図であり、洗浄機能の最大噴射の際の回転ディスクの位置である。
【発明を実施するための形態】
【００３１】
以下では、本発明の好ましい実施例に対して添付の図面を参照し詳しく説明する。
【００３２】
図２は、本発明の一実施例によるビデの流路システムを示す構成図である。
【００３３】
図２を参照すると、本発明の一実施例によるビデの流路システム３００は、流路切り換えバルブ３２０、殺菌装置３４０、加熱部材３６０、分岐バルブ３７０及びノズル部３８０を含む。
【００３４】
バルブなどを備えて原水の供給を調節する原水供給部３１０から供給される原水は、原水流入流路３１５を通じて流路切り換えバルブ３２０に流入される。これにより、流路切り換えバルブ３２０には原水供給部３１０からの常温の原水が流入される。
【００３５】
また、流路切り換えバルブ３２０は、流入された水が流路切り換えバルブ３２０の排出側に配置される複数の流路のうち少なくとも１つの流路に流れるよう流路を切り換える。即ち、流路切り換えバルブ３２０は、複数の排出口（不図示）を備え、流入された原水を複数の排出口のうち少なくとも１つの排出口に排出する。
【００３６】
また、殺菌装置３４０は、流路切り換えバルブ３２０の排出側にノズル洗浄流路３２５を通じて連結され、これにより殺菌装置３４０には流路切り換えバルブ３２０から常温の原水が供給される。上記殺菌装置３４０は、ノズル洗浄水供給流路３４５を通じてノズル洗浄水吐出部３８１に供給される水が殺菌作用を有するように抗菌及び／または殺菌物質を含むノズル洗浄水を生成し、ノズル部３８０に設けられる少なくとも１つのノズルがノズル洗浄水を通じて洗浄されるようにする。
【００３７】
上記殺菌装置３４０は、抗菌及び／または殺菌物質を含むノズル洗浄水が生成できれば、上記殺菌装置３４０の種類及び構造は特に制限されない。例えば、上記殺菌装置３４０は、次亜塩素酸（ＨＯＣｌ）、次亜塩素酸イオン（ＯＣｌ−）、塩素（Ｃｌ２）、その他、抗菌性及び／または殺菌性イオンまたはフリーラジカルのように殺菌作用をする様々な酸化性混合物質を生成する構成を有することができる。ここで、酸化性混合物質は、水が異なる極性を有する電極間を通過する間に電気分解により生成されることができる。この場合、上記酸化性混合物質は、抗菌及び／または殺菌物質として機能する。一方、上記殺菌装置３４０は、ヨードや酸化銀のような抗菌及び／または殺菌物質を一定量吐出する装置で構成されることもできる。
【００３８】
また、加熱部材３６０は、流路切り換えバルブ３２０の排出側に加熱用原水供給流路３３０を通じて連結され、加熱部材３６０には流路切り換えバルブ３２０から排出された常温の原水が供給される。また、加熱部材３６０の排出側は、温水供給流路３６５を通じてノズル部３８０と連結される。このような加熱部材３６０は、内部に流入された水を加熱して貯留する温水タンクからなることができるが、これに限定されず、流入された水が流れながら瞬間的に加熱される瞬間加熱装置からなることもできる。従って、ユーザーが洗浄機能またはビデ機能を使用する場合、加熱部材３６０で加熱された温水がノズル部３８０を通じて噴射される。
【００３９】
また、ノズル部３８０は、肛門を洗浄するための洗浄ノズル３８２、女性の局所を洗浄するためのビデノズル３８３などを備えることができ、洗浄ノズル３８２及び／またはビデノズル３８３を洗浄するためのノズル洗浄水吐出部３８１が設けられることができる。
【００４０】
このように、ノズル部３８０が複数のノズルからなる場合には、加熱部材３６０から排出された温水をノズル部３８０に設けられる何れか１つのノズルのみに温水が供給されるよう分岐バルブ３７０を備えることができる。このような分岐バルブ３７０は、温水供給流路３６５を通じて加熱部材３６０に連結され、加熱部材３６０から排出された温水の供給を受けて洗浄ノズル流路３７５ａとビデノズル流路３７５ｂのうち何れか１つの流路を通じて洗浄ノズル３８２またはビデノズル３８３に選択的に温水を供給する。
【００４１】
このように、図２に図示されたビデの流路システム３００に備えられる流路切り換えバルブ３２０は、殺菌装置３４０と加熱部材３６０の前端に配置され、流入される常温の原水を殺菌装置３４０と加熱部材３６０のうち何れか１つのみに選択的に供給する。
【００４２】
すなわち、流路切り換えバルブ３２０は、ノズル部３８０で温水が使用されるときは、加熱部材３６０のみに原水が流れるよう流路を切り換え、加熱部材３６０から排出された温水は、分岐バルブ３７０により分岐されて、洗浄ノズル流路３７５ａとビデノズル流路３７５ｂのうち何れか１つの流路を通じて洗浄ノズル３８２またはビデノズル３８３に供給されて噴射される。また、洗浄ノズル３８２またはビデノズル３８３の殺菌洗浄が必要な場合は、流路切り換えバルブ３２０は、殺菌装置３４０のみに常温の原水が流れるよう流路を切り換え、殺菌装置３４０で生成されたノズル洗浄水は、ノズル洗浄水供給流路３４５を通じてノズル洗浄水吐出部３８１に供給されて、ノズルを洗浄する。
【００４３】
一方、図２に図示されたビデの流路システム３００に使用される流路切り換えバルブ３２０と分岐バルブ３７０は、通常の流路切り換えバルブを使用することができるため、その具体的な説明は省略する。
【００４４】
このように、本発明の一実施例によるビデの流路システム３００によると、流路切り換えバルブ３２０が殺菌装置３４０と加熱部材３６０の前端に配置され、殺菌装置３４０に常温の原水が流入されるため、不要な加熱により生じるエネルギーの損失を防ぐことができ、加熱部材３６０の温水保存容量を減少させることができる。
【００４５】
即ち、図１に図示された従来技術は、殺菌装置に温水が供給されるため、不要なエネルギーの損失が生じ、殺菌装置に供給される水の量に対応して温水タンクの容量を大きくしなければならないが、図２に図示されたように本発明の一実施例によるビデの流路システム３００は、殺菌装置３４０に常温の原水が流入されるため、従来技術の問題点を解決することができる。
【００４６】
また、本発明の一実施例によるビデの流路システム３００は、常温の原水を殺菌装置３４０に直接供給することができ、殺菌装置３４０で殺菌性能が向上したノズル洗浄水を発生させることができる。これによりノズル洗浄性能、即ち、殺菌性能が向上することができる。
【００４７】
図３は、本発明の他の実施例によるビデの流路システムを示す構成図である。図３を参照すると、ビデの流路システム４００は、流路切り換えバルブ１００、殺菌装置４４０、加熱部材４６０、及びノズル部４８０を含む。
【００４８】
原水供給部４１０から供給される原水は、原水流入流路４１５及び原水流入口１１１ａを通じて流路切り換えバルブ１００に流入される。これにより、流路切り換えバルブ１００には、原水供給部４１０からの常温の原水が流入される。
【００４９】
また、流路切り換えバルブ１００は、流入された水が流路切り換えバルブ１００の排出側に配置される複数の流路のうち少なくとも１つの流路に流れるよう流路を切り換える。即ち、流路切り換えバルブ１００は、複数の流入口１１１ａ，１２１ａと、複数の排出口１２２ａ、１２３ａ、１２５ａ、１２６ａを備え、それぞれの流入口１１１ａ、１２１ａから流入された原水を複数の排出口１２２ａ、１２３ａ、１２５ａ、１２６ａのうち少なくとも１つの排出口に排出する。
【００５０】
また、殺菌装置４４０は、流路切り換えバルブ１００のノズル洗浄水排出口１２２ａにノズル洗浄水供給流路４２５を通じて連結され、これにより殺菌装置４４０には流路切り換えバルブ１００から常温の原水が供給される。上記殺菌装置４４０はノズル洗浄水吐出部４８１に供給される水が殺菌作用を有するように抗菌及び／または殺菌物質が含まれたノズル洗浄水を生成し、ノズル部４８０に設けられる少なくとも１つのノズルがノズル洗浄水を通じて洗浄されるようにする。このような殺菌装置４４０としては、電気分解を通じて殺菌性物質を生成する装置を用いることができる。
【００５１】
また、加熱部材４６０は、加熱用原水の供給流路４３０を通じて流路切り換えバルブ１００の加熱用原水の排出口１２３ａに連結され、加熱部材４６０の排出側は、温水供給流路４５０を通じて流路切り換えバルブ１００の温水流入口１２１ａと連結される。これにより加熱部材４６０には流路切り換えバルブ１００の加熱用原水の排出口１２３ａから排出された常温の原水が供給されて加熱され、加熱部材４６０で加熱された温水はまた温水流入口１２１ａを通じて流路切り換えバルブ１００に供給される。このような加熱部材４６０は、内部に流入された水を加熱して貯留する温水タンクからなることができるが、これに限定されず、流入された水が流れながら瞬間的に加熱される瞬間加熱装置からなることもできる。従って、ユーザーが洗浄機能またはビデ機能を使用すると、加熱部材４６０で加熱された温水が流路切り換えバルブ１００に再流入されノズル部４８０を通じて噴射される。
【００５２】
また、ノズル部４８０は、肛門を洗浄するための洗浄ノズル４８２、女性の局所を洗浄するためのビデノズル４８３などを備えることができ、洗浄ノズル４８２及び／またはビデノズル４８３を洗浄するためのノズル洗浄水吐出部４８１が設けられる。
【００５３】
このように、ノズル部４８０が複数のノズルからなる場合には、加熱部材４６０で加熱されて流路切り換えバルブ１００に再流入された温水をノズル部４８０に設けられる何れか１つのノズルのみに供給させる必要がある。
【００５４】
このために、流路切り換えバルブ１００は、加熱部材４６０で加熱されて再流入された温水を洗浄ノズル流路４６５とビデノズル流路４７０のうち何れか１つの流路を通じて洗浄ノズル４８２またはビデノズル４８３に選択的に温水を供給するよう流路を切り換える。
【００５５】
このように、図３に図示されたビデの流路システム４００に備えられる流路切り換えバルブ１００は、殺菌装置４４０と加熱部材４６０の前端に配置され、流入される常温の原水を殺菌装置４４０と加熱部材４６０のうち何れか１つのみに選択的に供給する。
【００５６】
即ち、流路切り換えバルブ１００は、ノズル部４８０で温水が使用される場合には加熱部材４６０のみに原水が流れるよう流路を切り換え、加熱部材４６０で加熱された温水は、流路切り換えバルブ１００の内部で、再び分岐されて洗浄ノズル流路４６５とビデノズル流路４７０のうち何れか１つの流路を通じて洗浄ノズル４８２またはビデノズル４８３に供給されて噴射される。また、洗浄ノズル４８２またはビデノズル４８３の殺菌洗浄が必要な場合、流路切り換えバルブ１００は、殺菌装置４４０のみに常温の原水が流れるよう流路を切り換え、殺菌装置４４０で生成されたノズル洗浄水は、ノズル洗浄水供給流路４４５を通じてノズル洗浄水吐出部４８１に供給されてノズルを洗浄する。
【００５７】
図３に図示されたビデの流路システム４００の作用について説明する。
【００５８】
ノズル洗浄機能やビデ／洗浄機能を行うために、水が必要なときは、原水供給部４１０が開放され、原水供給部４１０から供給された常温の原水は原水流入口１１１ａを通じて流路切り換えバルブ１００に流入される。
【００５９】
このとき、ノズル洗浄機能を行うと、流路切り換えバルブ１００は、加熱用原水供給流路４３０、温水流入流路４５０、洗浄ノズル流路４６５及びビデノズル流路４７０を遮断し、ノズル洗浄水供給流路４２５のみを開放する。これにより、流路切り換えバルブ１００のノズル洗浄水供給口１２２ａから排出された常温の原水は、殺菌装置４４０に流入され、殺菌装置４４０で抗菌及び／または殺菌物質が生成されたノズル洗浄水は、ノズル洗浄水吐出部４８１を通じて吐出され、洗浄ノズル４８２及び／またはビデノズル４８３の殺菌洗浄が行われる。
【００６０】
また、洗浄ノズル４８２やビデノズル４８３で洗浄機能またはビデ機能が行われると、流路切り換えバルブ１００は、ノズル洗浄水供給流路４２５を遮断し、加熱用原水供給流路４３０、温水流入流路４５０、洗浄ノズル流路４６５及びビデノズル流路４７０を開放する。
【００６１】
これにより、流路切り換えバルブ１００の加熱用原水の排出口１２３ａを通じて排出された常温の原水は、加熱部材４６０に流入されて加熱され、加熱された温水は温水流入口１２１ａを通じて流路切り換えバルブ１００に再び流入される。流路切り換えバルブ１００に流入された温水は、ノズル部４８０の洗浄ノズル４８２またはビデノズル４８３に噴射される。このとき、洗浄ノズル４８２またはビデノズル４８３のうち何れか１つのノズルのみに温水が噴射されるように、流路切り換えバルブ１００は、温水流入口１２１ａを通じて流入された温水を両方向に分岐できるように流路が形成される。
【００６２】
このようなビデの流路システム４００に用いられる流路切り換えバルブ１００の一実施例について、図３から図１２を参照して説明する。
【００６３】
図４は、図３に図示された流路切り換えバルブの一実施例を示す分解斜視図であり、図５は、図４に図示された流路切り換えバルブの第２ハウジングの平面図であり、図６は、図４に図示された流路切り換えバルブの固定ディスクを図示したもので、（ａ）は平面図、（ｂ）は底面図、（ｃ）は（ａ）のＡ−Ａ線による断面図である。また、図７は、図４に図示された流路切り換えバルブの回転ディスクを図示したもので、（ａ）は平面図、（ｂ）は底面図、（ｃ）は（ａ）のＢ−Ｂ線による断面図であり、図８は、図４に図示された流路切り換えバルブの第２ハウジングに固定ディスクが装着された状態の概路図であり、図９から図１２は、図８の固定ディスクの上に回転ディスクが装着されて回転される状態を順に図示した概路図である。
【００６４】
図４を参照すると、ビデの流路システム４００に用いられる流路切り換えバルブ１００は、第１ハウジング１１０と第２ハウジング１２０を互いに一体にして形成されるバルブハウジング１３０と、上記バルブハウジング１３０に固定して設けられる固定ディスク２１０と、上記固定ディスク２１０の上面と接触するように設けられ、モーター１５０などの回転駆動手段により回転できるように設けられる回転ディスク２２０を含んでなり、複数の流入口１１１ａ、１２１ａと複数の排出口１２２ａ、１２３ａ、１２５ａ、１２６ａを備える。
【００６５】
図４及び図５を参照すると、上記バルブハウジング１３０は、原水供給部４１０と連通される原水流入部１１１、上記原水流入部１１１に流入された水をノズル洗浄水吐出部４８１または加熱部材４６０に選択的に供給するように原水流入部１１１と選択的に連通されるノズル洗浄水供給部１２２及び加熱用原水供給部１２３、上記加熱部材４６０を通過した水が流入される温水流入部１２１、上記温水流入部１２１から流入された水を洗浄ノズル４８２またはビデノズル４８３に選択的に供給するように上記温水流入部１２１と選択的に連通される洗浄水供給部１２５及びビデ水供給部１２６がそれぞれ区画されて形成される。
【００６６】
このとき、バルブハウジング１３０は、回転ディスク２２０の上部に位置して原水流入部１１１が形成される第１ハウジング１１０と、固定ディスク２１０の下部に位置して温水流入部１２１、ノズル洗浄水供給部１２２、加熱用原水供給部１２３、洗浄水供給部１２５及びビデ水供給部１２６がそれぞれ区画されて形成される第２ハウジング１２０に分離して形成した後、締結孔１１８、１２８にネジなどの締結手段（不図示）により結合してもよい。また、第１ハウジング１１０と第２ハウジング１２０の間を密閉するためにオーリングなどの密閉手段１４０が第２ハウジング１２０に備えられた装着溝１２９に設けられてもよい。
【００６７】
また、第２ハウジング１２０は、上面からみて、中央に温水流入部１２１が形成され、上側に１つのノズル洗浄水供給部１２２が形成され、上記ノズル洗浄水供給部１２２の左右両側にそれぞれ洗浄水供給部１２５とビデ水供給部１２６が形成され、ノズル洗浄水供給部１２２と対向する反対側に加熱用原水供給部１２３が形成されるように構成されてもよい。
【００６８】
図４及び図６を参照すると、固定ディスク２１０は、第２ハウジング１２０の上部に固定して設けられ、上記温水流入部１２１、ノズル洗浄水供給部１２２、加熱用原水供給部１２３、洗浄水供給部１２５及びビデ水供給部１２６とそれぞれ連通するように貫通形成された複数の連通孔２１１、２１２、２１３’、２１３ａ、２１４’、２１４ａ、２１５ａ、２１６ａを備える。
【００６９】
図４、図７及び図８を参照すると、回転ディスク２２０は、固定ディスク２１０の上部に回転できるように設けられ、回転することにより原水流入部１１１をノズル洗浄水供給部１２２と加熱用原水供給部１２３のうち何れか１つと選択的に連結させたり、温水流入部１２１を上記洗浄水供給部１２５とビデ水供給部１２６のうち何れか１つと選択的に連結させる。このとき、上記回転ディスク２２０は、回転することにより複数の連通孔２１１、２１２、２１３’、２１３ａ、２１４’、２１４ａ、２１５ａ、２１６ａのうち一部を相互連通させたり、複数の連通孔２１１、２１２、２１３’、２１３ａ、２１４’、２１４ａ、２１５ａ、２１６ａのうち少なくとも１つを回転ディスク２２０の上部に形成された原水流入部１１１と連通させることができる。
【００７０】
このために、回転ディスク２２０は、原水流入部１１１が加熱用原水供給部１２３とノズル洗浄水供給部１２２にそれぞれ連通した連通孔２１２、２１３’、２１３ａ、２１４’、２１４ａのうち何れか１つと選択的に連結されるように貫通形成された選択孔２２１、２２２、２２３と、上記温水流入部１２１と連通した連通孔２１１が上記洗浄水供給部１２５とビデ水供給部１２６にそれぞれ連通した連通孔１２５ａ，１２６ａのうち何れか１つと選択的に連結されるように下面に形成されたガイド溝２２６を備えることができる。
【００７１】
上記ガイド溝２２６は、上記温水流入部１２１と連通した連通孔２１１の上部に位置する中央溝２２４と、上記中央溝２２４から上記洗浄水供給部１２５及び上記ビデ水供給部１２６と連通したそれぞれの連通孔１２５ａ、１２６ａの上部まで延びる延長溝２２５を備えることができる。
【００７２】
このように、第２ハウジング１２０に固定して設けられた固定ディスク２１０とその上で回転する回転ディスク２２０の構成により、ノズル洗浄水供給部１２２は、回転ディスク２２０の選択孔２２１、２２２と固定ディスク２１０の連通孔２１２の選択的な連結を通じて原水流入部１１１と連通して、原水流入部１１１から流入された水の供給を受けて、ノズル洗浄水排出口１２２ａを通じて外部に排出する。
【００７３】
また、加熱用原水供給部１２３は、回転ディスク２２０の選択孔２２３と固定ディスク２１０の連通孔２１３’、２１３ａ、２１４’、２１４ａの選択的な連結を通じて原水流入部１１１と連通して、原水流入部１１１から流入された水の供給を受けて、加熱用原水の排出口１２３ａを通じて外部に排出する。
【００７４】
また、洗浄水供給部１２５とビデ水供給部１２６は、回転ディスク２２０の選択孔２２１、２２２と固定ディスク２１０の連通孔２１５ａ、２１６ａの選択的な連結を通じて温水流入部１２１と連通して温水流入部１２１から流入された水の供給を受けて洗浄水供給部１２５ａとビデ水供給部１２６ａを通じて外部に排出する。
【００７５】
即ち、温水流入部１２１に流入された温水は、洗浄水供給口１２５ａ及び洗浄ノズル流路４６５を通じて洗浄ノズル４８２に供給されて噴射されたり、ビデ水供給口１２６ａ及びビデノズル流路４７０を通じてビデノズル４８３に供給されて噴射される。
【００７６】
このように、図４から図８に図示されたビデ用流路切り換えバルブ１００を使用すると、複雑な流路を単純化し、必要なバルブ数を減らすことができるという利点がある。
【００７７】
図３及び図９から図１２を参照して、上記の流路切り換えバルブ１００の作用について説明する。
【００７８】
図９は、流路切り換えバルブ１００の初期状態の回転ディスク２２０の位置を図示している。図９に図示されたように、初期状態では、回転ディスク２２０に形成された選択孔２２１、２２２、２２３またはガイド溝２２６が固定ディスク２１０に形成された連通孔２１１、２１２、２１３’、２１３ａ、２１４’、２１４ａ、２１５ａ、２１６ａと連通しないため、流路が遮断されて水が流れない。
【００７９】
この状態で、ユーザーがビデの使用、例えば、洗浄機能を選択すると、回転ディスク２２０はモーター１５０の駆動により、図１０に図示されたように反時計回りに回転し、ノズル洗浄機能が行われる。即ち、回転ディスク２２０の選択孔２２２と固定ディスク２１０の連通孔２１２が一致し、回転ディスク２２０の上部の第１ハウジング１１０に形成された原水流入部１１１からノズル洗浄水供給部１２２に原水が流入され、ノズル洗浄水供給部１２２に流入された原水は、ノズル洗浄水供給口１２２ａ及び殺菌装置４４０を通過してノズル洗浄水吐出部４８１に供給され、洗浄ノズル４８２及び／またはビデノズル４８３の殺菌及び／または洗浄が行われる。一方、図１０では、回転ディスク２２０の残りの選択孔２２１、２２３とガイド溝２２６は固定ディスク２１０の上面により閉鎖されるため、ノズル洗浄水供給の他に、流路は形成されない。
【００８０】
その後、洗浄ノズル４８２に水が供給されるためには、回転ディスク２２０を図１１に図示されたように反時計回りにさらに回転させる。これにより、回転ディスク２２０の選択孔２２３は、固定ディスク２１０の連通孔２１４’及び溝２１４に連結された連通孔２１４ａと連通し、回転ディスク２２０のガイド溝２２６は、温水流入部１２１と連通する連通孔２１１を溝２１５に連結された連通孔２１５ａと連結する。
【００８１】
このとき、選択孔２２３と、連通孔２１４’及び／または連通孔２１４ａが連通して原水流入部１１１から流入された原水は、加熱用原水供給部１２３に移動し、加熱用原水供給口１２３ａを通じて加熱部材４６０に流入されて加熱された後、加熱された温水は温水流入口１２１ａを通じて温水流入部１２１に再び流入される。その後、固定ディスク２１０の連通孔２１１、回転ディスク２２０の下面に形成されたガイド溝２２６の中央溝２２４、延長溝２２５を順に通過した温水は、固定ディスク２１０の溝２１５に連結された連通孔２１５ａを通じて洗浄水供給部１２５に流入され、洗浄水供給口１２５ａを通じて洗浄ノズル４８２に供給されて噴射される。
【００８２】
このとき、原水流入部１１１から流入された原水が加熱用原水供給部１２３に移動して加熱部材４４０側から排出された直後、加熱部材４４０で加熱された温水は温水流入部１２１に流入され、洗浄水供給部１２５を通じて洗浄ノズル４８１に供給される。
【００８３】
一方、連通孔２１４ａと連結された溝２１４は、回転ディスク２１０が回転することにより洗浄水の噴射が次第に多くなるように、他側に向かうほど次第に幅が広くなるように形成されてもよい。
【００８４】
図１２に図示されたように、回転ディスク２２０がさらに回転して溝２１４の幅が最も広い位置に到逹すると、洗浄水の噴射量は最大となり、回転ディスク２２０の回転量（回転角度）を調節して噴射される洗浄水の量または強さを調節することができる。
【００８５】
洗浄機能が終わった後、回転ディスク２２０は時計回りに回転し、図１０に示したノズル洗浄機能の位置を通過して図９に図示された初期状態に戻る。
【００８６】
一方、ビデ機能を行うためには、図９の回転ディスク２２０の初期位置で回転ディスク２２０を時計回りに回転させれば良い。回転ディスク２２０が時計回りに回転すると、回転ディスク２２０の選択孔２２１と固定ディスク２１０の連通孔２１２が一致してノズル洗浄機能が行われるという点を除き、具体的な過程は洗浄機能と類似するため、詳細な説明は省略する。
【００８７】
図４から図１２に図示された流路切り換えバルブ１００は、図３に図示されたビデの流路システム４００に適用できる流路切り換えバルブの一実施例に該当し、図３に図示された流路システムが具現できれば、流路切り換えバルブ１００の内部構成は特に制限されない。
【００８８】
このように、本発明の一実施例によるビデの流路システム４００によると、流路切り換えバルブ１００が殺菌装置４４０と加熱部材４６０の前端に配置され、殺菌装置４４０に常温の原水が流入されるため、不要な加熱により発生するエネルギーの損失を防ぐことができ、加熱部材４６０での温水の貯留容量を減少させることができる。
【００８９】
また、本発明の一実施例によるビデの流路システム４００は、常温の原水を殺菌装置４４０に直接供給することができ、殺菌装置４４０で殺菌性能が向上したノズル洗浄水を発生させることができる。これによりノズル洗浄性能、即ち、殺菌性能が向上することができる。
【００９０】
また、本発明の一実施例によるビデの流路システム４００は、流路切り換えバルブ１００が複数の流入口と複数の排出口を備えるため、複雑な流路を具現するための構成部品の数が減るという利点がある。
【００９１】
上述では本発明の特定の実施例に関して図示し説明したが、当業界で通常の知識を有する者であれば、添付の特許請求の範囲に記載された本発明の思想及び領域から外れない範囲内で本発明を多様に修正及び変更できることは明らかである。
【符号の説明】
【００９２】
３００、４００  ビデの流路システム
３２０、１００  流路切り換えバルブ
３４０、４４０  殺菌装置
３６０、４６０  加熱部材
３８０、４８０  ノズル部
【図１】
2011520051.tif 000003
【図２】
2011520051.tif 000004
【図３】
2011520051.tif 000005
【図４】
2011520051.tif 000006
【図５】
2011520051.tif 000007
【図６（ａ）】
2011520051.tif 000008
【図６（ｂ）】
2011520051.tif 000009
【図６（ｃ）】
2011520051.tif 000010
【図７（ａ）】
2011520051.tif 000011
【図７（ｂ）】
2011520051.tif 000012
【図７（ｃ）】
2011520051.tif 000013
【図８】
2011520051.tif 000014
【図９】
2011520051.tif 000015
【図１０】
2011520051.tif 000016
【図１１】
2011520051.tif 000017
【図１２】
2011520051.tif 000018
【国際調査報告】
2011520051.tif 000019
2011520051.tif 000020